【手続補正書】
【提出日】平成16年3月17日(2004.3.17)
【手続補正１】
【補正対象書類名】明細書
【補正対象項目名】特許請求の範囲
【補正方法】変更
【補正の内容】
【特許請求の範囲】
【請求項１】
バスまたはネットワーク上に、少なくとも２つの情報機器が接続され、該情報機器は電源投入後互いを特定するＩＤ番号が自動的に付与されたのち動作を行う情報機器システムであって、
情報機器は、該情報機器の種別を識別するための情報を提供する自己機種名データを格納する記憶手段と、他の情報機器によって自らがコントロールされるための命令データを含んだ自己機能データを格納する記憶手段を有し、他の情報機器から要求されたときは、自らがコントロールされるための命令データを含んだ自己機能データを他の情報機器に送信し、該送信された自己機能データをもとに前記他の情報機器が生成した情報を受信することにより、他の情報機器によりコントロールされ、
各情報機器のうち少なくとも１つは、自らが他の機器に対しコントロールを行なおうとするに際して他の情報機器が有する自らがコントロールされるための命令データを含んだ自己機能データを送信するよう前記他の情報機器に要求する要求手段と、前記他の情報機器から送信された自己機能データを記憶する記憶手段と、前記他の情報機器から送信された自己機種名データの情報を文字、絵あるいはアイコンによって表示する表示手段と、前記表示手段に表示されている前記他の情報機器の中から少なくとも一つの情報機器を選択する選択手段とを有し、
該要求手段により前記選択手段によって選択された情報機器に対して要求を出すことにより前記選択された情報機器から送信された自己機能データをもとに生成した前記選択された情報機器をコントロールするための情報を送信することにより、前記選択された情報機器をコントロールすることを特徴とする情報機器システム。
【請求項２】
バスまたはネットワーク上に、少なくとも２つの情報機器が接続され、該情報機器は電源投入後互いを特定するＩＤ番号が自動的に付与されたのち動作を行う情報機器システムであって、
各情報機器は、該情報機器の種別を識別するための情報を提供する自己機種名データを格納する記憶手段と、他の情報機器によって自らがコントロールされるための命令データを含んだ自己機能データを格納する記憶手段を有し、他の情報機器から要求されたときは、自らがコントロールされるための命令データを含んだ自己機能データを他の情報機器に送信し、該送信された自己機能データをもとに前記他の情報機器が生成した情報を受信することにより、他の情報機器によりコントロールされ、
各情報機器のうち少なくとも１つは、自らが他の機器に対しコントロールを行なおうとするに際して他の情報機器が有する自らがコントロールされるための命令データを含んだ自己機能データを送信するよう前記他の情報機器に要求する要求手段と、前記他の情報機器から送信された自己機能データを記憶する記憶手段と、前記他の情報機器から送信された自己機種名データの情報を文字、絵あるいはアイコンあるいはパネルのようなものによって分離して別々に表示する表示手段と、前記表示手段に表示されている前記他の情報機器の中から少なくとも一つの情報機器を選択する選択手段とを有し、
該要求手段により前記選択手段によって選択された情報機器に対して要求を出すことにより前記選択された情報機器から送信された自己機能データをもとに生成した前記選択された情報機器をコントロールするための情報を送信することにより、前記選択された情報機器をコントロールすることを特徴とする情報機器システム。
【請求項３】
バスまたはネットワーク上に、少なくとも２つの情報機器が接続され、該情報機器は電源投入後互いを特定するＩＤ番号が自動的に付与されたのち動作を行う情報機器システムであって、
各情報機器は、該情報機器の種別を識別するための情報を提供する自己機種名データを格納する記憶手段と、他の情報機器によって自らがコントロールされるための命令データを含んだ自己機能データを格納する記憶手段を有し、他の情報機器から要求されたときは、自らがコントロールされるための命令データを含んだ自己機能データを他の情報機器に送信し、該送信された自己機能データをもとに前記他の情報機器が生成した情報を受信することにより、他の情報機器によりコントロールされ、
各情報機器のうち少なくとも１つは、自らが他の機器に対しコントロールを行なおうとするに際して他の情報機器が有する自らがコントロールされるための命令データを含んだ自己機能データを送信するよう前記他の情報機器に要求する要求手段と、前記他の情報機器から送信された自己機能データを記憶する記憶手段と、前記他の情報機器から送信された自己機種名データまたは自己機能データの情報を文字、絵あるいはアイコンによって表示する表示手段と、前記表示手段に表示されている前記他の情報機器の中から少なくとも一つの情報機器を選択する第一の選択手段と、前記表示手段に表示されている前記他の情報機器の機能を少なくとも一つ選択する第二の選択手段とを有し、
該要求手段により前記第一の選択手段によって選択された情報機器に対して要求を出すことにより前記他の情報機器から送信された自己機能データをもとに生成した前記他の情報機器をコントロールするための情報を送信することにより、前記他の情報機器をコントロールすることを特徴とする情報機器システム。
【請求項４】
バスまたはネットワーク上に、少なくとも２つの情報機器が接続され、該情報機器は電源投入後互いを特定するＩＤ番号が自動的に付与されたのち動作を行う情報機器システムを構成する情報機器であって、
該情報機器の種別を識別するための情報を提供する自己機種名データを格納する記憶手段と、他の情報機器によって自らがコントロールされるための命令データを含んだ自己機能データを格納する記憶手段と、他の情報機器が有する自らがコントロールされるための命令データを含んだ自己機能データを送信するよう前記他の情報機器に要求することにより、前記他の情報機器から送信された自己機能データを記憶する記憶手段と、
前記他の情報機器から送信された自己機種名データの情報を文字、絵あるいはアイコンによって表示する表示手段とを有し、
自らが他の機器に対しコントロールを行なおうとするに際して、前記表示手段に表示されている前記他の情報機器の中から少なくとも一つの情報機器を選択し、前記選択された情報機器に対して要求を出すことにより前記選択された情報機器から送信された自己機能データをもとに生成した前記選択された情報機器をコントロールするための情報を送信することにより、前記選択された情報機器をコントロールする、ことを特徴とする情報機器。
【請求項５】
バスまたはネットワーク上に、情報機器の種別を識別するための情報を提供する自己機種名データと他の情報機器によって自らがコントロールされるための命令データを含んだ自己機能データを有する少なくとも２つ以上の情報機器が接続され、該情報機器は電源投入後互いを特定するＩＤ番号が自動的に付与されたのち動作を行う情報機器システムの制御方法において、
前記他の情報機器から送信された自己機種名データの情報を文字、絵あるいはアイコンによって表示するステップと、
自らが他の機器に対しコントロールを行なおうとするに際して、前記表示するステップで表示されている前記他の情報機器の中から少なくとも一つの情報機器を選択するステップと、
前記選択された情報機器に対して要求を出すことにより前記選択された情報機器から送信された自己機能データをもとに生成した前記選択された情報機器をコントロールするための情報を送信し、前記選択された情報機器をコントロールするステップとを有することを特徴とする情報機器システムの制御方法。